(57)【要約】【課題】視認性の良好な画像を表示することができる会議端末、会議システム、会議方法、及び会議プログラムを提供する。【解決手段】会議端末１１には、撮像装置１６、１７が接続されている。会議端末１１は、撮像装置１６が閉状態とされ、且つ利用者１０１によって持ち上げられた状態であることを認識する。会議端末１１は、撮像装置１６のカメラによって撮影された撮影画像のみから構成された表示画像を作成する。作成される表示画像には、撮像装置１７のカメラにおいて撮影された画像は含まれていない。作成された表示画像は、会議端末１１から他の会議端末に対して送信される。会議端末１１から送信された表示画像を受信した他の会議端末は、受信された表示画像をディスプレイに表示させる。【選択図】図８
2012175487.tif 000002
【特許請求の範囲】
【請求項１】
少なくとも撮像手段を備えた複数の撮像装置を接続することが可能な会議端末であって、
制御部と、前記制御部への命令を記憶したメモリとを備え、前記命令が実行されることにより、
前記複数の撮像装置の前記撮像手段において撮影された複数の撮影画像を、前記複数の撮像装置から取得する第一取得ステップと、
前記撮像装置の使用方法に応じて変化する前記撮像装置の状態を、前記撮像装置毎に判断する判断ステップと、
前記判断ステップにおいて判断された前記状態が所定条件を満たす前記撮像装置を、第一撮像装置として特定する特定ステップと、
前記第一取得ステップにおいて取得された前記複数の撮影画像のうち少なくともいずれかを含み、他の前記会議端末に接続された表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、
前記作成ステップにおいて作成された前記表示画像を、前記他の会議端末に送信する第一送信ステップと
を実行することを特徴とする会議端末。
【請求項２】
前記撮像装置は、周辺を撮影できる状態で自立させることが可能な第一状態と、周辺を撮影できる状態で自立させることが不可能な第二状態とを備え、
前記制御部は、前記判断ステップを実行する場合において、
前記撮像装置が動いたか否か、及び、前記撮像装置が前記第一状態であるか前記第二状態であるかを判断し、
前記特定ステップを実行する場合において、
前記判断ステップにおいて、前記撮像装置が前記第二状態であると判断され、且つ、前記撮像装置が動いたと判断された場合に、前記所定条件を満たすと判断することを特徴とする請求項１に記載の会議端末。
【請求項３】
前記制御部は、前記作成ステップを実行する場合において、
前記第一撮影画像の表示領域が、前記第二撮影画像の表示領域よりも大きい前記表示画像を作成することを特徴とする請求項１又は２に記載の会議端末。
【請求項４】
前記制御部は、前記作成ステップを実行する場合において、
前記第一撮影画像及び前記第二撮影画像のうち少なくとも一方が所定の表示可能領域内に配置され、且つ、前記表示可能領域内に占める前記第一撮影画像の表示領域の割合が、前記第二撮影画像の表示領域の割合よりも大きい前記表示画像を作成することを特徴とする請求項３に記載の会議端末。
【請求項５】
前記制御部は、前記作成ステップを実行する場合において、
前記第一撮影画像の解像度が、前記第二撮影画像の解像度よりも高い前記表示画像を作成することを特徴とする請求項１から４のいずれかに記載の会議端末。
【請求項６】
前記制御部は、前記作成ステップを実行する場合において、
前記第一撮影画像のフレームレートが、前記第二撮影画像のフレームレートよりも速い前記表示画像を作成することを特徴とする請求項１から５のいずれかに記載の会議端末。
【請求項７】
前記撮像装置は、音声が入力される入力手段と、前記音声が出力される出力手段とを備えており、
前記制御部は、
前記複数の撮像装置の前記入力手段を介して入力された前記音声を、前記撮像装置から取得する第二取得ステップと、
前記第二取得ステップにおいて取得される前記音声のうち、前記特定ステップにおいて特定された前記第一撮像装置から取得される前記音声の音量を減衰させる減衰ステップと、
前記減衰ステップにおいて減衰された前記音声が、前記他の会議端末に接続された前記複数の撮像装置の前記出力手段から出力されるように、前記他の会議端末に対して前記音声を送信する第二送信ステップと
を更に実行することを特徴とする請求項１から６のいずれかに記載の会議端末。
【請求項８】
前記撮像装置は、音声が入力される入力手段と、前記音声が出力される出力手段とを備えており、
前記制御部は、
前記他の会議端末に接続した前記撮像装置の前記入力手段を介して入力された前記音声が、前記他の会議端末から送信された場合に、前記音声を受信する受信ステップと、
前記受信ステップにおいて受信された前記音声が前記撮像装置の前記出力手段から出力されるように前記撮像装置を制御する出力制御ステップであって、前記特定ステップにおいて特定された前記第一撮像装置の前記出力手段から出力される前記音声の音量が、前記第二撮像装置の前記出力手段から出力される前記音声の音量よりも小さくなるように制御する出力制御ステップと
を更に実行することを特徴とする請求項１から６のいずれかに記載の会議端末。
【請求項９】
前記制御部は、前記特定ステップを実行する場合において、
前記所定条件を満たす前記撮像装置が２台以上特定された場合に、前記所定条件を満たすこととなった時点が最も新しい前記撮像装置を、前記第一撮像装置として特定することを特徴とする請求項１から８のいずれかに記載の会議端末。
【請求項１０】
少なくとも撮像手段を備えた複数の撮像装置を接続することが可能な第一会議端末と、ネットワークを介して前記第一会議端末と接続する第二会議端末とを備えた会議システムあって、
前記第一会議端末は、
制御部と、前記制御部への命令を記憶したメモリとを備え、前記命令が実行されることにより、
前記複数の撮像装置の前記撮像手段において撮影された複数の撮影画像を、前記複数の撮像装置から取得する第一取得ステップと、
前記撮像装置の使用方法に応じて変化する前記撮像装置の状態を、前記撮像装置毎に判断する判断ステップと、
前記判断ステップにおいて判断された前記状態が所定条件を満たす前記撮像装置を、第一撮像装置として特定する特定ステップと、
前記特定ステップにおいて特定された前記第一撮像装置から、前記第一取得ステップにおいて取得された前記撮影画像である第一撮影画像、及び、前記第一撮像装置以外の第二撮像装置から、前記第一取得ステップにおいて取得された前記撮影画像である第二撮影画像を、前記第二会議端末に対して送信する送信ステップと
を実行し、
前記第二会議端末は、
制御部と、前記制御部への命令を記憶したメモリとを備え、前記命令が実行されることにより、
前記第一会議端末から送信された前記第一撮影画像及び前記第二撮影画像を受信する受信ステップと、
前記受信ステップにおいて受信された前記第一撮影画像を少なくとも含み、表示手段に表示される表示画像を作成する作成ステップであって、前記第一撮影画像の方が前記第二撮影画像よりも視認性に優れた前記表示画像を作成する作成ステップと、
前記作成ステップにおいて作成された前記表示画像を、前記表示手段に表示する表示ステップと
を実行することを特徴とする会議システム。
【請求項１１】
撮像装置に設けられた撮像手段において撮影された撮影画像を、複数の前記撮像装置から取得する第一取得ステップと、
前記撮像装置の使用方法に応じて変化する前記撮像装置の状態を、前記撮像装置毎に判断する判断ステップと、
前記判断ステップにおいて判断された前記状態が所定条件を満たす前記撮像装置を、第一撮像装置として特定する特定ステップと、
前記第一取得ステップにおいて取得された複数の前記撮影画像のうち少なくともいずれかを含み、表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、
前記作成ステップにおいて作成された前記表示画像を出力する出力ステップと
を備えた会議方法。
【請求項１２】
撮像装置に設けられた撮像手段において撮影された撮影画像を、複数の前記撮像装置から取得する第一取得ステップと、
前記撮像装置の使用方法に応じて変化する前記撮像装置の状態を、前記撮像装置毎に判断する判断ステップと、
前記判断ステップにおいて判断された前記状態が所定条件を満たす前記撮像装置を、第一撮像装置として特定する特定ステップと、
前記第一取得ステップにおいて取得された複数の前記撮影画像のうち少なくともいずれかを含み、表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、
前記作成ステップにおいて作成された前記表示画像を出力する出力ステップと
をコンピュータに実行させるための会議プログラム。
【発明の詳細な説明】
【技術分野】
【０００１】
本発明は、遠隔拠点との間で遠隔会議を行うための会議端末、会議システム、会議方法、及び会議プログラムに関する。
【背景技術】
【０００２】
従来、遠隔拠点に設けられた会議端末間で遠隔会議を実行する遠隔会議システムが知られている。遠隔会議システムでは、ネットワークを介して複数の会議端末が接続する。会議端末には、カメラが接続される。会議端末は、カメラによって撮影された画像を、ネットワークを介して他の会議端末に送信する。他の会議端末は、ネットワークを介して受信した画像を表示手段（ディスプレイなど）に表示する。利用者は、表示手段に表示された画像を見ることで、遠隔拠点の様子を認識することができる。
【０００３】
会議端末に複数のカメラが接続される場合がある。例えば特許文献１に記載された第１地点の端末には、３つのカメラが接続されている。第２地点の端末側では、撮影された画像を表示する表示手段（スクリーン）が、カメラの数分用意される。複数のカメラにおいて撮影された複数の画像は、第２地点の端末において受信され、対応する表示手段に其々表示される。
【先行技術文献】
【特許文献】
【０００４】
【特許文献１】特開２００９−１００１３４号公報
【発明の概要】
【発明が解決しようとする課題】
【０００５】
しかしながら上述の端末では、表示手段全体の大きさに制約がある場合、其々の画像を表示できる部分の大きさは、カメラの数が増えることで小さくなる。従って、其々の画像の視認性が悪くなってしまうという問題点がある。
【０００６】
本発明の目的は、視認性の良好な画像を表示することができる会議端末、会議システム、会議方法、及び会議プログラムを提供することにある。
【課題を解決するための手段】
【０００７】
本発明の第一態様に係る会議端末は、少なくとも撮像手段を備えた複数の撮像装置を接続することが可能な会議端末であって、制御部と、前記制御部への命令を記憶したメモリとを備え、前記命令が実行されることにより、前記複数の撮像装置の前記撮像手段において撮影された複数の撮影画像を、前記複数の撮像装置から取得する第一取得ステップと、前記撮像装置の使用方法に応じて変化する前記撮像装置の状態を、前記撮像装置毎に判断する判断ステップと、前記判断ステップにおいて判断された前記状態が所定条件を満たす前記撮像装置を、第一撮像装置として特定する特定ステップと、前記第一取得ステップにおいて取得された前記複数の撮影画像のうち少なくともいずれかを含み、他の前記会議端末に接続された表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、前記作成ステップにおいて作成された前記表示画像を、前記他の会議端末に送信する第一送信ステップとを実行することを特徴とする。
【０００８】
第一態様によれば、会議端末は、所定条件を満たす状態の撮像装置から取得された第一撮影画像が、第一撮影画像以外の第二撮影画像よりも視認性に優れた表示画像を作成することができる。第一撮影画像の視認性が良好となるので、利用者は第一撮影画像を確実に認識することができる。
【０００９】
第一態様において、前記撮像装置は、周辺を撮影できる状態で自立させることが可能な第一状態と、周辺を撮影できる状態で自立させることが不可能な第二状態とを備え、前記制御部は、前記判断ステップを実行する場合において、前記撮像装置が動いたか否か、及び、前記撮像装置が前記第一状態であるか前記第二状態であるかを判断し、前記特定ステップを実行する場合において、前記判断ステップにおいて、前記撮像装置が前記第二状態であると判断され、且つ、前記撮像装置が動いたと判断された場合に、前記所定条件を満たすと判断してもよい。撮像装置が動いたと判断され、且つ、撮像装置が第二状態である場合、撮像装置は、利用者に所持された状態で特定の対象物を撮影している状態であると判断される。この場合、撮像装置において撮影される撮影画像の重要性が高いことが想定される。会議端末は、重要性の高いことが想定される画像の視認性が良好となるように、表示画像を作成することができる。表示画像を視認する利用者は、重要性の高いことが想定される撮影画像を確実に認識することができる。また撮像装置を所持する利用者は、会議端末を持って対象物に近づけ、撮影を行うことによって、他の利用者に対象物を確実に認識させることができる。
【００１０】
第一態様において、前記制御部は、前記作成ステップを実行する場合において、前記第一撮影画像の表示領域が、前記第二撮影画像の表示領域よりも大きい前記表示画像を作成してもよい。これによって、第一撮影画像の表示領域は、第二撮影画像の表示領域よりも大きくなるので、第一撮影画像は第二撮影画像と比較して見やすくなる。従って利用者は、第一撮影画像を細部まで詳細に認識することができる。
【００１１】
第一態様において、前記制御部は、前記作成ステップを実行する場合において、前記第一撮影画像及び前記第二撮影画像のうち少なくとも一方が所定の表示可能領域内に配置され、且つ、前記表示可能領域内に占める前記第一撮影画像の表示領域の割合が、前記第二撮影画像の表示領域の割合よりも大きい前記表示画像を作成してもよい。これによって会議端末は、限られた表示可能領域内に第一撮影画像及び第二撮影画像を配置して表示画像を作成する場合でも、第一撮影画像の視認性を良くすることができる。
【００１２】
第一態様において、前記制御部は、前記作成ステップを実行する場合において、前記第一撮影画像の解像度が、前記第二撮影画像の解像度よりも高い前記表示画像を作成してもよい。第一撮影画像は第二撮影画像と比較して高精細となるので、利用者は、第一撮影画像を細部まで詳細に認識することができる。
【００１３】
第一態様において、前記制御部は、前記作成ステップを実行する場合において、前記第一撮影画像のフレームレートが、前記第二撮影画像のフレームレートよりも速い前記表示画像を作成してもよい。第一撮影画像のフレームレートは、第二撮影画像のフレームレートよりも速くなるので、第一撮影画像は第二撮影画像と比較して動きが滑らかになる。従って利用者は、第一撮影画像の細かい動きを認識することができる。
【００１４】
第一態様において、前記撮像装置は、音声が入力される入力手段と、前記音声が出力される出力手段とを備えており、前記制御部は、前記複数の撮像装置の前記入力手段を介して入力された前記音声を、前記撮像装置から取得する第二取得ステップと、前記第二取得ステップにおいて取得される前記音声のうち、前記特定ステップにおいて特定された前記第一撮像装置から取得される前記音声の音量を減衰させる減衰ステップと、前記減衰ステップにおいて減衰された前記音声が、前記他の会議端末に接続された前記複数の撮像装置の前記出力手段から出力されるように、前記他の会議端末に対して前記音声を送信する第二送信ステップとを更に実行してもよい。撮像装置の状態が所定条件を満たす場合、撮像装置は利用者に所持された状態であることが想定されるので、撮像装置に対して入力される音声の音量は大きい可能性が高い。このような場合に会議端末は、音量の大きな音声の入力レベルを低くすることができる。これによって会議端末は、必要な音声のみ取得し、不要な音声を排除することができる。
【００１５】
第一態様において、前記撮像装置は、音声が入力される入力手段と、前記音声が出力される出力手段とを備えており、前記制御部は、前記他の会議端末に接続した前記撮像装置の前記入力手段を介して入力された前記音声が、前記他の会議端末から送信された場合に、前記音声を受信する受信ステップと、前記受信ステップにおいて受信された前記音声が前記撮像装置の前記出力手段から出力されるように前記撮像装置を制御する出力制御ステップであって、前記特定ステップにおいて特定された前記第一撮像装置の前記出力手段から出力される前記音声の音量が、前記第二撮像装置の前記出力手段から出力される前記音声の音量よりも小さくなるように制御する出力制御ステップとを更に実行してもよい。撮像装置の状態が所定条件を満たす場合、撮像装置は利用者に所持された状態であることが想定されるので、撮像装置から出力される音声の音量が小さくても、利用者に音声が十分伝わる状態である。このような場合に会議端末は、出力される音声の音量を小さくすることができる。これによって会議端末は、必要以上の音量の音声を出力することで利用者に不快感を与えてしまうことを防止できる。
【００１６】
また第一態様において、前記制御部は、前記特定ステップを実行する場合において、前記所定条件を満たす前記撮像装置が２台以上特定された場合に、前記所定条件を満たすこととなった時点が最も新しい前記撮像装置を、前記第一撮像装置として特定してもよい。これによって会議端末は、最も新しく所定条件を満たすこととなった撮像装置において撮影された撮影画像を優先し、この撮影画像が見やすいような表示画像を作成することができる。これによって、最も重要性の高い撮影画像の視認性が良好な表示画像を作成することができる。
【００１７】
本発明の第二態様に係る会議システムは、少なくとも撮像手段を備えた複数の撮像装置を接続することが可能な第一会議端末と、ネットワークを介して前記第一会議端末と接続する第二会議端末とを備えた会議システムあって、前記第一会議端末は、制御部と、前記制御部への命令を記憶したメモリとを備え、前記命令が実行されることにより、前記複数の撮像装置の前記撮像手段において撮影された複数の撮影画像を、前記複数の撮像装置から取得する第一取得ステップと、前記撮像装置の使用方法に応じて変化する前記撮像装置の状態を、前記撮像装置毎に判断する判断ステップと、前記判断ステップにおいて判断された前記状態が所定条件を満たす前記撮像装置を、第一撮像装置として特定する特定ステップと、前記特定ステップにおいて特定された前記第一撮像装置から、前記第一取得ステップにおいて取得された前記撮影画像である第一撮影画像、及び、前記第一撮像装置以外の第二撮像装置から、前記第一取得ステップにおいて取得された前記撮影画像である第二撮影画像を、前記第二会議端末に対して送信する送信ステップとを実行し、前記第二会議端末は、制御部と、前記制御部への命令を記憶したメモリとを備え、前記命令が実行されることにより、前記第一会議端末から送信された前記第一撮影画像及び前記第二撮影画像を受信する受信ステップと、前記受信ステップにおいて受信された前記第一撮影画像を少なくと含み、表示手段に表示される表示画像を作成する作成ステップであって、前記第一撮影画像の方が前記第二撮影画像よりも視認性に優れた前記表示画像を作成する作成ステップと、前記作成ステップにおいて作成された前記表示画像を、前記表示手段に表示する表示ステップとを実行する。第二態様によれば、第一態様と同様の効果を奏することができる。
【００１８】
本発明の第三態様に係る会議方法は、撮像装置に設けられた撮像手段において撮影された撮影画像を、複数の前記撮像装置から取得する第一取得ステップと、前記撮像装置の使用方法に応じて変化する前記撮像装置の状態を、前記撮像装置毎に判断する判断ステップと、前記判断ステップにおいて判断された前記状態が所定条件を満たす前記撮像装置を、第一撮像装置として特定する特定ステップと、前記第一取得ステップにおいて取得された複数の前記撮影画像のうち少なくともいずれかを含み、表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、前記作成ステップにおいて作成された前記表示画像を出力する出力ステップとを備えている。
【００１９】
第三態様によれば、所定条件を満たす状態の撮像装置から取得された第一撮影画像が、第一撮影画像以外の第二撮影画像よりも視認性に優れた表示画像を作成することができる。第一撮影画像の視認性が良好となるので、利用者は第一撮影画像を確実に認識することができる。
【００２０】
本発明の第四態様にかかる会議プログラムは、撮像装置に設けられた撮像手段において撮影された撮影画像を、複数の前記撮像装置から取得する第一取得ステップと、前記撮像装置の使用方法に応じて変化する前記撮像装置の状態を、前記撮像装置毎に判断する判断ステップと、前記判断ステップにおいて判断された前記状態が所定条件を満たす前記撮像装置を、第一撮像装置として特定する特定ステップと、前記第一取得ステップにおいて取得された複数の前記撮影画像のうち少なくともいずれかを含み、表示手段に表示される表示画像を作成する作成ステップであって、前記特定ステップにおいて特定された前記第一撮像装置から取得された前記撮影画像である第一撮影画像の方が、前記第一撮像装置以外の第二撮像装置から取得された前記撮影画像である第二撮影画像よりも視認性に優れた前記表示画像を作成する作成ステップと、前記作成ステップにおいて作成された前記表示画像を出力する出力ステップとをコンピュータに実行させる。
【００２１】
第四態様によれば、所定条件を満たす状態の撮像装置から取得された第一撮影画像が、第一撮影画像以外の第二撮影画像よりも視認性に優れた表示画像を作成することができる。第一撮影画像の視認性が良好となるので、利用者は第一撮影画像を確実に認識することができる。
【図面の簡単な説明】
【００２２】
【図１】会議システム１の概要を示す模式図である。
【図２】撮像装置１５の斜視図（開状態）である。
【図３】撮像装置１５の斜視図（閉状態）である。
【図４】会議端末１０の電気的構成を示すブロック図である。
【図５】撮像装置１５の電気的構成を示すブロック図である。
【図６】遠隔会議の様子を示す図である。
【図７】ディスプレイ３０に表示される画像の一例を示す図である。
【図８】遠隔会議の様子を示す図である。
【図９】ディスプレイ３０に表示される画像の一例を示す図である。
【図１０】モード設定処理を示すフローチャートである。
【図１１】送信処理を示すフローチャートである。
【図１２】受信処理を示すフローチャートである。
【図１３】変形例における送信処理を示すフローチャートである。
【図１４】変形例における受信処理を示すフローチャートである。
【発明を実施するための形態】
【００２３】
以下、本発明の一実施形態について、図面を参照して説明する。これらの図面は、本発明が採用しうる技術的特徴を説明するために用いられるものである。記載されている装置の構成、各種処理のフローチャート等は、それのみに限定する趣旨ではなく、単なる説明例である。
【００２４】
図１を参照し、会議システム１の概要について説明する。会議システム１は、会議端末１１、１２、及び１３を備えている。以下、会議端末１１、１２、及び１３を区別しない場合、又は総称する場合、これらを会議端末１０ともいう。会議端末１０は、ネットワーク２に接続している。会議端末１０は、ネットワーク２を介して他の会議端末１０と通信を行うことで、遠隔会議を実行することができる。会議端末１０としては、周知のＰＣや遠隔会議用の専用端末を使用することができる。
【００２５】
会議端末１１には、撮像装置１５が２台接続されている。会議端末１２及び１３には、撮像装置１５が１台ずつ接続されている。以下、会議端末１１に接続された２台の撮像装置１５を、撮像装置１６及び撮像装置１７ともいう。撮像装置１５は、カメラ６６（図２参照）、マイク７２（図２参照）、及びスピーカ７３（図２参照）を備えている。撮像装置１５は、カメラ６６によって周辺を撮影することができ、マイク７２を介して音声を取得することができる。また撮像装置１５は、スピーカ７３から音声を出力することができる。
【００２６】
会議端末１０は、接続された撮像装置１５から撮影画像及び音声を取得する。会議端末１０は、取得された撮影画像に基づいて、他の会議端末１０のディスプレイ３０（図４参照）に表示させる表示画像を作成する。会議端末１０は、作成された表示画像、及び、取得された音声を、ネットワーク２を介して他の会議端末１０に対して送信する。
【００２７】
会議端末１０は、他の会議端末１０から送信された表示画像及び音声を、ネットワーク２を介して受信する。会議端末１０は、受信された表示画像をディスプレイ３０に表示させる。会議端末１０は、接続された撮像装置１５を制御し、受信された音声をスピーカ７３から出力させる。このようにして、会議端末１０間で遠隔会議が実行される。会議端末１０の利用者は、ディスプレイ３０に表示された表示画像や、スピーカ７３から出力される音声によって、遠隔拠点の様子を認識することができる。
【００２８】
図２、及び図３を参照し、撮像装置１５の概要について説明する。撮像装置１５は、第一筐体６２及び第二筐体６３を備えている。第一筐体６２及び第二筐体６３は、正面視縦長の略長方形の薄板状に形成されている。第一筐体６２の略中央には、正面視略長方形状の開口部７４が設けられている。開口部７４の内側面に操作部４６が設けられている。第一筐体６２及び第二筐体６３は、その上部で回転軸６５を介して連結され、回転軸６５を中心に回動することで折り畳むことが可能となっている。撮像装置１５の上部中央には、回転軸６５に回動可能に軸支されたカメラ６６が設けられている。第一筐体６２の前面７１の下部にマイク７２が設けられている。第二筐体６３の前面７５の略中央にスピーカ７３が設けられている。スピーカ７３は、前側に向かってやや斜め下方に突出している。スピーカ７３は、前方に位置する開口部７４に対向して位置する。
【００２９】
図２に示すように、撮像装置１５は、回転軸６５の軸心方向を水平面に対して平行にし、且つ第一筐体６２と第二筐体６３とを最大角度で開いた状態で、水平面である机上に載置して自立させることができる。撮像装置１５が自立した状態で、カメラ６６を回動させて利用者に向けることで、撮像装置１５の設置が完了する。この状態で、撮像装置１５は周辺を撮影することが可能な状態となる。
【００３０】
以下、撮像装置１５を最大角度で開いて机上に設置する状態（図２参照）を、開状態という。撮像装置１５を折り畳んだ状態（図３参照）を、閉状態という。図３に示すように、撮像装置１５を閉状態とした場合、撮像装置１５を自立させた状態で机上に設置することはできない。従って閉状態では、利用者が撮像装置１５を持ち上げてカメラ６６を周辺に向けない限り、撮像装置１５は周辺を撮影することができない。
【００３１】
図４を参照し、会議端末１０の電気的構成について説明する。会議端末１０は、会議端末１０の制御を司るＣＰＵ２１を備えている。ＣＰＵ２１は、ＲＯＭ２２、ＲＡＭ２３、ＨＤＤ２４、ＵＳＢインタフェース（ＵＳＢ  Ｉ／Ｆ）２５、ネットワークインタフェース（ネットワーク  Ｉ／Ｆ）２６、デコーダ３２、及びドライブ装置３３と接続している。ディスプレイ３０は、デコーダ３２と接続している。
【００３２】
ＨＤＤ２４には、遠隔会議を実行するための各種データ（例えば、接続された撮像装置１５から取得された撮影画像や音声、他の会議端末１０から受信された撮影画像や音声）、ＣＰＵ２１において実行される会議プログラム等が記憶されている。ＵＳＢ  Ｉ／Ｆ２５は、ＵＳＢケーブルを介して撮像装置１５と通信を行うためのコントローラである。ネットワークＩ／Ｆ２６は、ネットワーク２を介して他の会議端末１０と通信を行うためのコントローラである。デコーダ３２は、符号化されたデータを復号化し、ディスプレイ３０から出力することが可能な画像信号に変換する。ドライブ装置３３は、記憶媒体３３１に記憶された情報を読み出すことができる。例えば、会議端末１０のセットアップ時、記憶媒体３３１に記憶された会議プログラムはドライブ装置３３によって読み出され、ＨＤＤ２４に記憶される。
【００３３】
図５を参照し、撮像装置１５の電気的構成について説明する。撮像装置１５は、撮像装置１５の制御を司るＣＰＵ４１を備えている。ＣＰＵ４１は、ＲＯＭ４２、ＲＡＭ４３、フラッシュメモリ４４、ＵＳＢ  Ｉ／Ｆ４５、操作部４６、エンコーダ５１、デコーダ５２、検出スイッチ５４、及び加速度センサ５５と接続している。カメラ６６はエンコーダ５１と接続している。エコーキャンセラ５３は、エンコーダ５１及びデコーダ５２と接続している。マイク７２及びスピーカ７３は、エコーキャンセラ５３と接続している。
【００３４】
フラッシュメモリ４４には、ＣＰＵ４１において実行されるプログラムが記憶されている。ＵＳＢ  Ｉ／Ｆ４５は、ＵＳＢケーブルを介して会議端末１０と通信を行うためのコントローラである。エンコーダ５１は、カメラ６６によって撮影された撮影画像の信号、及び、エコーキャンセラ５３によってエコー除去された音声信号を符号化してデータに変換する。デコーダ５２は、符号化されたデータを復号化し、スピーカ７３から出力することが可能な音声信号に変換する。なお、デコーダ５２から出力された音声信号には、エコーキャンセラ５３においてエコー除去が施される。
【００３５】
検出スイッチ５４は、撮像装置１５が折り畳まれて閉状態になったことを検出する。検出スイッチ５４は、第二筐体６３（図２参照）の前面７５（図２参照）の上側であって、回転軸６５（図２参照）の近傍に設けられている。検出スイッチ５４は、第一筐体６２の背面に押圧されることでオン信号を出力する。ＣＰＵ４１は、オン信号を監視することによって、撮像装置１５が開状態か閉状態であるかを判断することができる。加速度センサ５５は、加速度を測定することができる。ＣＰＵ４１は、測定された加速度に基づき信号処理を行うことによって、撮像装置１５の動きの様子を認識することができる。
【００３６】
撮像装置１５は、カメラ６６において撮影された撮影画像、及びマイク７２を介して入力された音声を、ＵＳＢケーブルを介して会議端末１０に送信する。また撮像装置１５は、検出スイッチ５４及び加速度センサ５５を介して認識された撮像装置１５の状態を、ＵＳＢケーブルを介して会議端末１０に送信する。会議端末１０は、ＵＳＢケーブルを介して、撮影画像、音声、及び撮像装置１５の状態を受信することができる。これによって会議端末１０は、撮影画像及び音声を撮像装置１５から取得することができる。また会議端末１０は、撮像装置１５の状態を把握することができる。
【００３７】
図６から図９を参照し、会議システム１において実行される遠隔会議の様子について概説する。図６及び図８では、会議端末１１が設置された拠点の様子が示されている。この拠点では、利用者１０１、１０２が机を挟んで向い合って着席している。図６では、会議端末１１に接続した撮像装置１６、１７は、開状態で机上に載置している。撮像装置１６のカメラ６６は、利用者１０１の方向を向いている。撮像装置１７のカメラ６６は、利用者１０２の方向を向いている。撮像装置１６において撮影された撮影画像には、利用者１０１が含まれる。撮像装置１７において撮影された撮影画像には、利用者１０２が含まれる。
【００３８】
会議端末１１は、撮像装置１６、１７から取得された撮影画像に基づいて、表示画像８３（図７参照）を作成する。作成される表示画像８３には、２つの撮像装置１６、１７において撮影された２つの撮影画像が含められる。作成された表示画像８３は、ネットワーク２を介して会議端末１２、１３に送信される。また、撮像装置１６、１７から取得された音声も同様に、ネットワーク２を介して会議端末１２、１３に対して送信される。
【００３９】
図７は、会議端末１１、１３から送信された表示画像が会議端末１２において受信された場合に、会議端末１２のディスプレイ３０に表示される表示画面の一例を示している。表示画面には、２つの表示領域（表示領域８１、８２）が左右に並べて配置されている。会議端末１１から送信された表示画像８３は、表示領域８１内に表示されている。会議端末１２から送信された表示画像８６は、表示領域８２内に表示されている。
【００４０】
表示画像８３は左右に二分割されている。表示画像８３の右側は、撮像装置１６において撮影された利用者１０１の撮影画像８４である。表示画像８３の左側は、撮像装置１７において撮影された利用者１０２の撮影画像８５である。表示画像８６は、会議端末１３の利用者の撮影画像である。会議端末１３には撮像装置１５が１台のみ接続されているので、表示画像８６は分割されていない。
【００４１】
会議端末１２の利用者は、ディスプレイ３０を視認することによって、会議端末１１、１３が設置された拠点の様子を認識することができる。会議端末１１から送信された表示画像８３には、複数の撮像装置１６、１７において撮影された撮影画像８４、８５が含まれている。会議端末１２の利用者は、撮影画像８４、８５を同時に視認することができるので、異なる複数の利用者の様子を同時に認識することができる。
【００４２】
また会議端末１２は、会議端末１１、１３から送信された音声を受信した場合、接続された撮像装置１５のスピーカ７３から受信した音声が出力されるように、撮像装置１５を制御する。これによって会議端末１２の利用者は、会議端末１１、１３の利用者の撮影画像、及び該利用者の音声の両方を認識することができる。
【００４３】
会議端末１１の利用者１０１が、他の拠点の利用者に対して、机上に載置された対象物を重点的に視認させたいと考えたとする。このような場合に利用者１０１は、図８に示すように、撮像装置１６を持ち易くするために閉状態とし、撮像装置１６を持ち上げる。利用者１０１は、撮像装置１６のカメラ６６を対象物１０３に向けた状態で、撮像装置１６を対象物１０３に近づける。撮像装置１６のカメラ６６によって、対象物１０３が大きく撮影される。このような場合に会議端末１１は、図６及び図７の場合とは異なる表示画像８７（図９参照）を作成し、会議端末１２、１３に対して送信する。
【００４４】
図９は、会議端末１１、１３から送信された表示画像が会議端末１２において受信された場合に、会議端末１２のディスプレイ３０に表示される表示画面の一例を示している。表示画面には、図７と同様に、２つの表示領域（表示領域８１、８２）が左右に並べて配置されている。表示領域８１、８２の大きさは、図７の場合と同一である。図７と異なる点は、表示領域８１内に表示されている表示画像８７が左右に分割されていない点にある。表示画像８７には、撮像装置１６において撮影された撮影画像、即ち対象物１０３が大きく撮影された撮影画像のみが中央に大きく配置されている。撮像装置１７において撮影された撮影画像８５（図７参照）は、表示画像８７に含まれていない。このように、対象物１０３がディスプレイ３０に大きく表示されるので、会議端末１２の利用者は対象物１０３を良好に視認すことができる。
【００４５】
以上のように会議端末１１は、撮像装置１６が閉状態とされ且つ持ち上げられた場合、撮像装置１６において撮影された撮影画像のみで構成される表示画像８７を作成する。会議端末１２の利用者は、表示画像８７に含まれている対象物１０３を、細部まで詳細に認識することができる。なお表示画像８７の大きさは、表示領域８１内にちょうど収まるように設定される。表示画像８３（図７参照）と表示画像８７（図９参照）とで、大きさは変化しない。このようにして会議端末１１は、表示画像８７の領域を維持することで、隣接する表示画像の領域を確実に確保している。
【００４６】
さらに会議端末１１は、上述のようにして表示画像の作成条件を変更することに加え、撮像装置１５の状態に応じて音声の入出力条件も変更する。図８のように、撮像装置１６が閉状態とされ、且つ撮像装置１６が持ち上げられた場合、会議端末１１は、撮像装置１６から取得される音声の音量を減衰させる。撮像装置１７から取得された音声の音量は維持される。
【００４７】
撮像装置１６が閉状態とされ、且つ撮像装置１６が持ち上げられている場合、図８のように、利用者１０１が撮像装置１６の近くに存在する可能性が高い。このような場合、撮像装置１６のマイク７２を介して入力される利用者１０１の音声の音量は、机上に載置された撮像装置１７のマイク７２を介して入力される音声の音量と比較して大きくなることが想定される。従って会議端末１１は、撮像装置１６から取得された音声の音量を減衰させる。これによって、会議端末１２、１３に接続された撮像装置１５のスピーカ７３から出力される利用者１０１の音声は小さくなる。このようにして会議端末１１は、利用者１０１の音声が不必要に大きく出力されてしまうことを防止している。また会議端末１１は、撮像装置１６から取得された音声の音量を減衰させることによって、利用者１０１の音声のみを選択的に取得することもできる。
【００４８】
また次のような場合も想定される。図８のような場合、撮像装置１６は持ち上げられ、、対象物１０３を撮影するために対象物１０３に向けられているので、撮像装置１６のマイク７２を介して入力される音声の重要性は低いことが想定される。これに対して会議端末１１は、上述のように、撮像装置１６から取得される音声の音量を減衰させるので、重要性の低いことが想定される音声の音量は小さくなる。従って会議端末１１は、重要性の低い音声が大きな音量で会議端末１２、１３から出力されることを防止でき、重要性の高い他の音声の認識の妨げとなってしまうことを防止することができる。
【００４９】
さらに会議端末１１は、会議端末１２、１３から受信した音声を、撮像装置１６、１７のスピーカ７３から出力させる場合、出力音声の音量を、撮像装置１６、１７の状態に応じて調整する。具体的には以下の通りである。図６のように、撮像装置１６、１７の両方が開状態で机上に載置されている場合には、撮像装置１６、１７のスピーカ７３から同音量の音声が出力されるように、撮像装置１６、１７は制御される。一方、図８のように、撮像装置１６が閉状態とされ、且つ撮像装置１６が持ち上げられている場合には、撮像装置１６から出力される音声の音量が、撮像装置１７から出力される音声の音量よりも小さくなるように、撮像装置１６、１７は制御される。
【００５０】
利用者１０１によって撮像装置１６が持ち上げられている場合、図８に示すように、利用者１０１が撮像装置１６の近くに存在する可能性が高い。このような場合、撮像装置１６のスピーカ７３から出力される音声の音量が小さくても、利用者１０１は音声を十分聴き取ることができることが想定される。一方、撮像装置１６のスピーカ７３から出力される音声の音量が減衰されることなく維持された場合、利用者１０１に大きな音量の音声が到達してしまうことになるので、利用者１０１が不快に感じる可能性がある。これに対して会議端末１１は、撮像装置１６のスピーカ７３から出力される音声の音量を減衰させることによって、利用者１０１が適切な音量の音声を快適に聴くことができるようにしている。
【００５１】
図１０から図１２を参照し、会議端末１０のＣＰＵ２１において実行されるモード設定処理、送信処理、及び受信処理について説明する。各処理は、２台以上の撮像装置１５が接続されている会議端末１０のＣＰＵ２１において実行される。各処理は、ＣＰＵ２１に電源が投入された場合に起動される。各処理は並行して実行される。
【００５２】
図１０を参照し、モード設定処理について説明する。モード設定処理では、接続された撮像装置１５の状態に応じて動作モードが特定される。動作モードに基づいて、（１）表示画像の作成条件、（２）撮像装置１６、１７から音声が取得される場合の取得条件、及び（３）撮像装置１６、１７のスピーカ７３から音声を出力させる場合の出力条件が其々決定される。、特定される動作モードの種別として、通常モード及び単画面モードがある。閉状態とされ、且つ持ち上げられている撮像装置１５が１台以上接続されている場合、動作モードは単画面モードに設定される。それ以外の場合、動作モードは通常モードに設定される。
【００５３】
以下、会議端末１０に接続された撮像装置１５のうち、閉状態とされ、且つ持ち上げられている状態の撮像装置１５のうち一を、第一撮像装置ともいう。閉状態とされ、且つ持ち上げられている状態の撮像装置１５が会議端末１０に複数接続されている場合、後述する選択方法によって何れか１台が第一撮像装置として選択される。会議端末１０に接続された撮像装置１５のうち、第一撮像装置以外の撮像装置１５を、第二撮像装置ともいう。
【００５４】
通常モードでは、例えば図７の表示画像８３が作成される。また通常モードでは、撮像装置１５のマイク７２を介して入力される音声は、音量が調節されることなくそのまま撮像装置１５から取得される。さらに通常モードでは、全ての撮像装置１５のスピーカ７３から同一音量で音声が出力される。
【００５５】
一方、単画面モードでは、例えば図９の表示画像８７が作成される。また単画面モードでは、第一撮像装置から取得された音声の音量が減衰される。第二撮像装置から取得された音声の音量はそのまま維持される。さらに単画面モードでは、第一撮像装置のスピーカ７３から出力される音声の音量が、第二撮像装置のスピーカ７３から出力される音声の音量よりも小さくなるように、撮像装置１５が制御される。
【００５６】
モード設定処理が起動されると、はじめに、初期の動作モードとして通常モードが設定される（Ｓ１１）。会議端末１１に接続されている撮像装置１５の台数が特定される（Ｓ１３）。接続されている撮像装置１５の台数は、ＵＳＢ  Ｉ／Ｆ２５（図４参照）の状態を検出することによって特定される。
【００５７】
撮像装置１５から送信される撮像装置１５の状態が、ＵＳＢケーブルを介して受信される。閉状態とされた撮像装置１５が１台以上接続されているか否かが判断される（Ｓ１５）。閉状態とされた撮像装置１５がなく、接続された全ての撮像装置１５が開状態であると判断された場合（Ｓ１５：ＮＯ）、閉状態から開状態に切り替えられた直後の撮像装置１５があるかが判断される（Ｓ３１）。Ｓ１５において撮像装置１５の状態が繰り返し判断された場合であって、前回の判断時に閉状態であると判断された撮像装置１５がある場合、この撮像装置１５は、閉状態から開状態に切り替えられた直後であることになる（Ｓ３１：ＹＥＳ）。この場合、現時点では動作モードとして単画面モードが設定されていることになるので、動作モードを切り替えるために、通常モードに設定される（Ｓ３３）。処理はＳ３５に進む。
【００５８】
一方、前回の判断時に閉状態であると判断された撮像装置１５がない場合、閉状態から開状態に切り替えられた直後の撮像装置１５はない（Ｓ３１：ＮＯ）。この場合、動作モードとして通常モードが既に設定されており、動作モードを切り替える必要はないので、処理はＳ３５に進む。以上によって、利用者が撮像装置１５の机上の位置を変更するために、撮像装置１５を開状態のまま水平方向に移動させたような場合、動作モードが単画面モードに切り替わってしまうことが防止される。
【００５９】
一方、Ｓ１５で、閉状態とされた撮像装置１５が１台以上接続されていると判断された場合（Ｓ１５：ＹＥＳ）、該当する撮像装置１５は利用者によって持ち上げられている可能性がある。閉状態とすることで、利用者は撮像装置１５を容易に持ち上げることが可能となるためである。撮像装置１５から送信される撮像装置１５の状態が、ＵＳＢケーブルを介して受信される。Ｓ１５で閉状態であると判断された撮像装置１５が、持ち上げられている状態であるかが判断される。なお、撮像装置１５が持ち上げられている状態であるか否かは、例えば次のようにして判断される。撮像装置１５の状態は、撮像装置１５から受信する度にＲＡＭ２３に履歴情報として記憶される。ＲＡＭ２３に記憶された履歴情報から、撮像装置１５が静止した状態から上方に移動し、且つ、水平方向に移動したかが判断される。そして、これら一連の動作が行われたと判断された場合に、撮像装置１５が利用者によって持ち上げられている状態であると判断される。
【００６０】
なお撮像装置１５が持ち上げられたか否かの判断は、上述した例に限定されない。例えば、撮像装置１５が僅かに振動している状態である場合、撮像装置１５が利用者によって持ち上げられていると判断しても良い。また撮像装置１５の状態として、撮像装置１５の傾きが特定されても良い。そして、特定された傾きと、撮像装置１５が机上に載置した状態の傾きとが異なる場合に、撮像装置１５は利用者によって持ち上げられていると判断しても良い。
【００６１】
Ｓ１５で閉状態であると判断された撮像装置１５が持ち上げられていないと判断された場合（Ｓ１７：ＮＯ）、撮像装置１５は閉状態となっているものの、利用者によって持ち上げられた状態ではない可能性がある。このような場合、動作モードを単画面モードに切り替える必要はないので、処理はＳ３５に進む。
【００６２】
一方、Ｓ１５で閉状態であると判断された撮像装置１５が持ち上げられていると判断された場合（Ｓ１７：ＹＥＳ）、撮像装置１５は利用者によって持ち上げられ、特に優先して撮影したい対象物に向けられていることが想定される。この場合、対象物を大きく表示させるために、動作モードを通常モードから単画面モードに切り替えなければならない。
【００６３】
閉状態とされ且つ持ち上げられている撮像装置１５が２台以上、会議端末１１に接続されているか否かが判断される（Ｓ１９）。閉状態であり且つ持ち上げられている状態の撮像装置１５が１台のみである場合（Ｓ１９：ＮＯ）、この撮像装置１５が第一撮像装置として特定される（Ｓ２７）。接続された撮像装置１５のうち第一撮像装置以外の撮像装置１５が、第二撮像装置として特定される。動作モードが単画面モードに設定される（Ｓ２９）。処理はＳ３５に進む。
【００６４】
一方、Ｓ１９で、閉状態であり且つ持ち上げられた状態となっている撮像装置１５が２台以上接続されていると判断された場合（Ｓ１９：ＹＥＳ）、条件を満たす２台以上の撮像装置１５のうち、利用者によって最後に持ち上げられた撮像装置１５が、第一撮像装置として特定される（Ｓ２１）。利用者によって所望の撮像装置１５が順次選択されて持ち上げられ、対象物に撮像装置１５が向けられている場合、利用者によって最後に持ち上げられた撮像装置１５において撮影された撮影画像が、最も重要度が高いことが想定されるためである。接続された撮像装置１５のうち第一撮像装置以外の撮像装置１５が、第二撮像装置として特定される。動作モードが単画面モードに設定される（Ｓ２３）。処理はＳ３５に進む。
【００６５】
利用者によって最後に持ち上げられた撮像装置１５は、例えば以下のようにして判断される。Ｓ１７で持ち上げられていると判断された撮像装置１５のＩＤは、順番にＲＡＭ２３に記憶される。Ｓ２１では、ＲＡＭ２３に記憶されたＩＤが参照される。そして、最後にＲＡＭ２３に記憶されたＩＤに対応する撮像装置１５が、利用者によって最後に持ち上げられた撮像装置１５と判断される。
【００６６】
会議端末１０の電源がＯＦＦされたかが判断される（Ｓ３５）。会議端末１０の電源がＯＦＦされていない場合（Ｓ３５：ＮＯ）、処理はＳ１３に戻る。会議端末１０の電源がＯＦＦされた場合（Ｓ３５：ＹＥＳ）、モード設定処理は終了する。
【００６７】
図１１を参照し、送信処理について説明する。撮像装置１５において撮影された撮影画像が、接続されている全ての撮像装置１５から取得される（Ｓ４１）。モード設定処理（図１０参照）において設定された動作モードに基づき、取得された撮影画像から表示画像が作成される（Ｓ４３）。
【００６８】
モード設定処理（図１０参照）において動作モードが通常モードに設定されている場合（Ｓ１１、Ｓ３３、図１０参照）、次のようにして表示画像が作成される。表示画像を表示可能な領域が特定される。以下、表示画像を表示可能な領域を、表示可能領域という。表示可能領域は、遠隔会議に参加している会議端末１０の総数、及びディスプレイ３０の大きさに基づいて特定される。特定された表示可能領域は、接続されている撮像装置１５の数分の領域に分割される。分割された其々の領域に収まるように、取得された撮影画像の大きさが調整される。大きさが調整された撮影画像は、分割された其々の領域に配置される。以上の処理を経て、複数の撮影画像が含まれた表示画像が作成される。
【００６９】
一方、モード設定処理（図１０参照）において動作モードが単画面モードに設定されている場合（Ｓ２３、Ｓ２９、図１０参照）、次のようにして表示画像が作成される。表示可能領域が特定される。第一撮像装置から取得された撮影画像が選択される。選択された第一撮影画像は、特定された表示可能領域内にちょうど収まるように配置される。以上の処理を経て、第一撮像装置から取得された撮影画像のみが含まれた表示画像が作成される。
【００７０】
撮像装置１５のマイク７２から入力された音声が、接続されている全ての撮像装置１５から取得される（Ｓ４５）。モード設定処理（図１０参照）において設定された動作モードに基づき、取得された音声の音量が調整される（Ｓ４７）。動作モードが通常モードに設定されている場合（Ｓ１１、Ｓ３３、図１０参照）、取得された複数の音声の音量は減衰されず、そのままの音量で維持される。一方、動作モードが単画面モードに設定されている場合（Ｓ２３、Ｓ２９、図１０参照）、第一撮像装置から取得された音声の音量は減衰される。第二撮像装置から取得された音声の音量は維持される。
【００７１】
Ｓ４３で作成された表示画像、及び、Ｓ４７で音量が調節された音声は、他の会議端末１０に対して送信される（Ｓ４９）。会議端末１０の電源がＯＦＦされたかが判断される（Ｓ５１）。会議端末１０の電源がＯＦＦされていない場合（Ｓ５１：ＮＯ）、処理はＳ４１に戻る。会議端末１０の電源がＯＦＦされた場合（Ｓ５１：ＹＥＳ）、送信処理は終了する。
【００７２】
図１２を参照し、受信処理について説明する。他の会議端末１０から送信された表示画像及び音声が、ネットワーク２を介して受信される（Ｓ６１）。受信された表示画像は、ディスプレイ３０に表示される（Ｓ６３）。複数の表示画像が受信されている場合、其々の表示画像はディスプレイ３０に並べて表示される。
【００７３】
受信された音声の音量が調節される（Ｓ６５）。モード設定処理（図１０参照）において動作モードが通常モードに設定されている場合（Ｓ１１、Ｓ３３、図１０参照）、接続された全ての撮像装置１５から同音量の音声が出力されるように、音声の音量が調整される。一方、モード設定処理において動作モードが単画面モードに設定されている場合（Ｓ２３、Ｓ２９、図１０参照）、第一撮像装置から出力される音声の音量が、第二撮像装置から出力される音声の音量よりも小さくなるように、音声の音量が調節される。調整された音量で撮像装置１５から音声が出力されるように、撮像装置１５が制御される（Ｓ６７）。撮像装置１５のスピーカ７３から、音声が出力される。
【００７４】
会議端末１０の電源がＯＦＦされたかが判断される（Ｓ６９）。会議端末１０の電源がＯＦＦされていない場合（Ｓ６９：ＮＯ）、処理はＳ６１に戻る。会議端末１０の電源がＯＦＦされた場合（Ｓ６９：ＹＥＳ）、送信処理は終了する。
【００７５】
以上説明したように、会議端末１０は、第一撮像装置から取得された撮影画像が、第二撮像装置から取得された撮影画像よりも視認性に優れた表示画像を作成することができる。従って会議端末１０は、第一撮像装置において撮影された撮影画像の視認性を良好にすることができる。複数の撮像装置１５が接続されており、複数の撮影画像が取得された場合でも、利用者は、第一撮像装置において撮影された撮影画像を確実に認識することができる。
【００７６】
なお、カメラ６６が本発明の「撮像手段」に相当する。マイク７２が本発明の「入力手段」に相当する。スピーカ７３が本発明の「出力手段」に相当する。Ｓ４１が本発明の「第一取得ステップ」に相当する。Ｓ１５及びＳ１７が本発明の「判断ステップ」に相当する。Ｓ２１及びＳ２７が本発明の「特定ステップ」に相当する。Ｓ４３が本発明の「作成ステップ」に相当する。Ｓ４９が本発明の「第一送信ステップ」「第二送信ステップ」に相当する。開状態が「第一状態」に相当し、閉状態が「第二状態」に相当する。Ｓ４５が本発明の「第二取得ステップ」に相当する。Ｓ４７が本発明の「減衰ステップ」に相当する。Ｓ６１が本発明の会議端末における「受信ステップ」に相当する。Ｓ６７が本発明の「出力制御ステップ」に相当する。
【００７７】
本発明は上述の実施形態に限定されず、種々の変更が可能である。本発明では、会議端末１０は、表示画像を作成して他の会議端末１０に対して送信していたが、本発明はこれに限定されない。会議端末１０は、撮像装置１５から取得した撮影画像を、そのまま他の会議端末１０に対して送信してもよい。他の会議端末１０は、受信した撮影画像から表示画像を作成し、ディスプレイ３０に表示してもよい。以下、本発明の変形例について説明する。
【００７８】
図１３及び図１４を参照し、変形例における送信処理及び受信処理について説明する。モード設定処理は、上述の実施形態と同一である。上述の実施形態と同一処理については、同一符号を付し、説明を省略又は簡略化する。
【００７９】
変形例における送信処理は、図１３に示すように、撮像装置１５から取得した撮影画像をそのまま他の会議端末１０に送信するという点で、上述の実施形態と異なる。図１３に示すように、Ｓ４１で取得された撮影画像は、Ｓ４５で取得された音声と共に、そのまま他の会議端末１０に対して送信される（Ｓ７１）。なお、動作モードが単画面モードに設定されている場合、Ｓ２１又はＳ２７（図１０参照）において特定された第一撮像装置から取得された撮影画像のみが、音声と共に他の会議端末１０に対して送信される（Ｓ７１）。
【００８０】
変形例における受信処理では、図１４に示すように、他の会議端末１０から送信された撮影画像が受信される（Ｓ７３）。受信された撮影画像に基づき、表示画像が次のようにして作成される（Ｓ７５）。表示可能領域が特定される。特定された表示可能領域は、受信された撮影画像の数分の領域に分割される。分割された其々の領域に収まるように、受信された撮影画像の大きさが調整される。大きさが調整された撮影画像は、分割された其々の領域に配置される。以上の処理を経て、撮影画像が含まれた表示画像が作成される。作成された表示画像は、ディスプレイに表示される（Ｓ６３）。
【００８１】
以上の変形処理を行うことによって、会議端末１０は、表示画像を作成する場合に表示可能領域を容易に特定できるので、表示可能領域内に収まる表示画像を確実に作成することができる。なお、Ｓ７１が本発明の「送信ステップ」に相当する。Ｓ７３が本発明の会議システムにおける「受信ステップ」に相当する。Ｓ７５が本発明の会議システムにおける「作成ステップ」に相当する。
【００８２】
会議端末１０は、単画面モードで動作する場合、第一撮像装置から取得された撮影画像のみが含まれた表示画像を作成していた。本発明はこれに限定されない。会議端末１０は、第一撮影装置から取得された撮影画像の大きさが、第二撮影装置から取得された撮影画像よりも大きくなるように構成された表示画像を作成してもよい。例えば、第一撮像装置から取得された撮影画像の大きさと、第二撮影装置から取得された撮影画像の大きさとの比が７：３となるように、其々の撮影画像の大きさが決定されてもよい。また、第一撮像装置から取得された撮影画像のみからなる表示画像の一部分に、第二撮像装置から取得された撮影画像を小さく重ねて表示させてもよい。また重ねて表示させる撮影画像を半透明化してもよい。
【００８３】
会議端末は、単画面モードで動作する場合にも、通常モードで動作する場合と同様、複数の撮影画像が並べて配置された表示画像を作成してもよい。ここで、第一撮像装置から取得された撮影画像のフレームレートが、第二撮像装置から取得された撮影画像のフレームレートよりも速くなるようにしてもよい。これによって、第一撮像装置から取得された撮影画像は、第二撮像装置から取得された撮影画像と比較して動きが滑らかになる。従って利用者は、第一撮像装置において撮影された撮影画像の細かい動きを認識することができる。
【００８４】
また、第一撮像装置から取得された撮影画像の解像度が、第二撮像装置から取得された撮影画像の解像度よりも高くなるようにしてもよい。これによって、第一撮像装置から取得された撮影画像は、第二撮像装置から取得された撮影画像と比較して高精細となる。従って利用者は、第一撮影画像を細部まで詳細に認識することができる。
【００８５】
上述では、閉状態とされ、且つ持ち上げられた撮像装置１５のうち一を、第一撮像装置として選択していたが、本発明はこれに限定されない。例えば、閉状態とされた状態で振動が検出された撮像装置１５や、閉状態とされ且つ傾いた状態の撮像装置１５のうち一を、第一撮像装置１５として選択してもよい。
【００８６】
上述では、第一撮像装置から取得された音声の音量を減衰させていたが、本発明はこれに限定されない。会議端末１０は、第一撮像装置からは音声を取得せず、第二撮像装置からのみ音声を取得してもよい。また例えば会議端末１０は、接続されている全ての撮像装置１５から入力される音声の音量の総和が一定となるように、第一撮像装置及び第二撮像装置から取得される音声の音量を調節してもよい。具体的には、第一撮像装置から取得される音声の音量を３０％減衰させた場合、第二撮像装置から取得される音声の音量の総和が３０％増加するように、第二撮像装置から取得される音声の音量を増幅させてもよい。
【００８７】
上述では、第一撮像装置から音声が出力される場合の音量が、第二撮像装置から音声が出力される場合の音量よりも小さくしていた。ここで例えば会議端末１０は、接続されている全ての撮像装置１５から出力される音声の音量の総和が一定となるように、第一撮像装置及び第二撮像装置から出力される音声を調節してもよい。具体的には、第一撮像装置から出力される音声の音量を３０％小さくした場合、第二撮像装置から出力される音声の音量の総和が３０％大きくしてもよい。
【００８８】
会議端末１０は、通常モードで動作している場合、接続されている撮像装置１５の台数に応じて、音声の入出力レベルを調整してもよい。例えば会議端末１０は、撮像装置１５がｎ台（ｎは２以上の整数であるとする）接続されている場合に其々の撮像装置１５から出力される音声の音量を、撮像装置１５が１台のみ接続している場合に出力される音声の音量の７０％や３０％としてもよいし、音量を１／ｎとしてもよい。また会議端末１０は、撮像装置１５がｎ台接続されている場合に其々の撮像装置１５から取得される音声の音量を、撮像装置１５が１台のみ接続している場合に取得される音声の音量の７０％や３０％となるように減衰させてもよいし、１／ｎに減衰させてもよい。
【００８９】
会議端末１０は、単画面モードにて動作する場合、第一撮像装置から取得される音声の音量を減衰させる代わりに、撮像装置１５のマイク７２の感度が小さくなるように第一撮像装置を制御してもよい。
【００９０】
上述では、会議端末１０は他の会議端末１０に対して表示画像及び音声を直接送信していたが、本発明はこれに限定されず、ＭＣＵ（Multi-point Control Unit）を介して他の会議端末１０に対して送信してもよい。またこの場合、撮影画像及び動作モードをＭＣＵに対して送信してもよい。ＭＣＵは、受信した撮影画像及び動作モードに基づいて表示画像を作成し、他の会議端末１０に対して送信してもよい。
【００９１】
会議端末１０は、単画面モードで動作する場合、第一撮像装置から取得された撮影画像に対して手ぶれ補正を行ってもよい。なお手ぶれ補正は、撮影画像と共に第一撮像装置から取得される撮像装置１５の状態に基づいて行われてもよい。
【符号の説明】
【００９２】
１      会議システム
１０、１１、１２、１３  会議端末
１５、１６、１７  撮像装置
２１    ＣＰＵ
２４    ＨＤＤ
６６    カメラ
７２    マイク
７３    スピーカ
８３、８６、８７  表示画像
８４、８５    撮影画像
８５    撮影画像
【図１】
2012175487.tif 000003
【図２】
2012175487.tif 000004
【図３】
2012175487.tif 000005
【図４】
2012175487.tif 000006
【図５】
2012175487.tif 000007
【図６】
2012175487.tif 000008
【図７】
2012175487.tif 000009
【図８】
2012175487.tif 000010
【図９】
2012175487.tif 000011
【図１０】
2012175487.tif 000012
【図１１】
2012175487.tif 000013
【図１２】
2012175487.tif 000014
【図１３】
2012175487.tif 000015
【図１４】
2012175487.tif 000016